(57)【要約】【課題】容器Ｂの口部２外周に抜け出しを防止して周壁10を嵌着したキャップ本体A1と、該本体上を開閉可能に設けた蓋体A2とを備えた合成樹脂製のキャップであって、埃等の清掃時に封緘部分が損傷する等を極力防止し、しかも構造も簡単で、外観も良好な封緘式キャップを提案する。【解決手段】キャップ本体周壁上端部に凹設した収納凹部28内の外側縁部に易切断性の破断部ｓを介して切り取り可能に設けるとともに、裏面に突設した係止突起29に蓋体より垂設したフック30の係合突起31を乗り越え係合させた封緘板27を設けた。【選択図】図２
2006151487.tif 000002
【特許請求の範囲】
【請求項１】
容器Ｂの口部２外周に抜け出しを防止して周壁10を嵌着したキャップ本体A1と、該本体上を開閉可能に設けた蓋体A2とを備えた合成樹脂製のキャップであって、前記キャップ本体周壁上端部に凹設した収納凹部28内の外側縁部に易切断性の破断部ｓを介して切り取り可能に設けるとともに、裏面に突設した係止突起29に前記蓋体より垂設したフック30の係合突起31を乗り越え係合させた封緘板27を設けてなる封緘式キャップ。
【請求項２】
前記蓋体A2外面に開蓋用の突片26を突設するとともに、該突片下方に前記収納凹部28を凹設し、前記封緘板27の一側端に連結部33を介して一側端を連結して前記封緘板前方へ折り返し状に且つ前記開蓋用の突片26直下に上面を位置させて延設した摘み板32を一体に設けてなる請求項１記載の封緘式キャップ。
【請求項３】
前記開蓋用の突片26を前記蓋体A2外面上部に突設するとともに、前記摘み板32を、その上縁が前記封緘板27の上端より上方の前記開蓋用の突片26直下となる如くの縦幅広に形成してなる請求項２記載の封緘式キャップ。
【請求項４】
前記摘み板32の先端部を易切断性の破断部ｓを介して前記封緘板27外面に連結してなる請求項２記載又は請求項３のいずれかに記載の封緘式キャップ。
【請求項５】
前記フック30を、前記封緘板27を切断除去後の前記収納凹部28を区画遮蔽する壁板36の前面に前記係合突起31を突設して構成してなる請求項１乃至請求項４のいずれかに記載の封緘式キャップ。
【発明の詳細な説明】
【技術分野】
【０００１】
本発明は封緘式キャップに関する。
【背景技術】
【０００２】
容器の口部に嵌着される合成樹脂製のキャップで、一旦開蓋するとその状態が明瞭に外観で判る所謂封緘式キャップが知られている。（例えば、特許文献１参照）
【０００３】
上記キャップは、容器口部に固定されるキャップ本体と、該本体に開閉可能にヒンジ連結された上蓋とからなり、キャップ本体は、頂板部と頂板部周縁から降下した筒状側壁とを有しており、前記上蓋は、天板部と天板部周縁部から降下したスカート部とから形成され、スカート部の下端部分でキャップ本体の頂板部と筒状側壁との接続部分外面にヒンジ連結され且つスカート部のヒンジ連結部分とは反対側の下端部分には開封用鍔部が形成されており、さらにキャップ本体の頂板部には、上蓋を閉じたときにスカート部の内面部分と係合し得る周状突起を有している。
【０００４】
また、キャップ本体の筒状側壁の外面には、閉じられた上蓋の開封用鍔部が位置する部分に、開封用鍔の先端外周部分を覆うような帯状カバー部材が破断可能な弱化線乃至スコアを介して連結されており、上蓋を閉じたときにおいて、上蓋のスカート部下面とキャップ本体頂板部上面とが相対する部分の外周部は、帯状カバー部材が設けられている領域及びヒンジ連結部が形成されている領域を除き、キャップ本体の頂板部外周縁もしくは上蓋のスカート部下端の外周縁に設けられた突片によってカバーされている。
【特許文献１】特開２００４−１７５４３６号公報
【発明の開示】
【発明が解決しようとする課題】
【０００５】
上記キャップはキャップ本体に設けられている帯状カバー部材によって、閉じられた上蓋の開封用鍔部が外部から遮断され、且つ閉じられている上蓋とキャップ本体とが相対している部分の突片からなるサイドカバーにより外部から遮断されているため、開封前に未使用であることが容易に判別されるものであるが、帯状カバー部材は開封用鍔の先端外周部分を覆うように設けられているため、陳列時等に埃等を取り除くためにキャップを清掃する場合に帯状カバー部材に触れてその弱化線或いはスコアを誤って破断する虞れがあった。また、上記した如き複雑な構造を備えており、製造にあたりコスト高となり、更に、突片がキャップ周囲を囲繞しなければならないという外観的な制約がある。
【０００６】
本発明は上記した点に鑑みてなされたもので、埃除去等に当たって封緘板の易切断性の破断部が破断するというような不都合を極力防止でき、また、構造をできるだけ単純化して製造を容易とし、また、外観上の制約もできるだけ少なくして美麗な外観を呈し、しかも、本来の封緘作用も充分発揮し、機能性にも富んだ封緘式キャップを提案するものである。
【課題を解決するための手段】
【０００７】
第１の手段として、容器Ｂの口部２外周に抜け出しを防止して周壁10を嵌着したキャップ本体A1と、該本体上を開閉可能に設けた蓋体A2とを備えた合成樹脂製のキャップであって、前記キャップ本体周壁上端部に凹設した収納凹部28内の外側縁部に易切断性の破断部ｓを介して切り取り可能に設けるとともに、裏面に突設した係止突起29に前記蓋体より垂設したフック30の係合突起31を乗り越え係合させた封緘板27を設けた。
【０００８】
第２の手段として、前記第１の手段に於いて、前記蓋体A2外面に開蓋用の突片26を突設するとともに、該突片下方に前記収納凹部28を凹設し、前記封緘板27の一側端に連結部33を介して一側端を連結して前記封緘板前方へ折り返し状に且つ前記開蓋用の突片26直下に上面を位置させて延設した摘み板32を一体に設けた。
【０００９】
第３の手段として、前記第２の手段に於いて、前記開蓋用の突片26を前記蓋体A2外面上部に突設するとともに、前記摘み板32を、その上縁が前記封緘板27の上端より上方の前記開蓋用の突片26直下となる如くの縦幅広に形成した。
【００１０】
第４の手段として、前記第２の手段又は第３の手段に於いて、前記摘み板32の先端部を易切断性の破断部ｓを介して前記封緘板27外面に連結した。
【００１１】
第５の手段として、前記第１の手段乃至前記第４の手段のいずれかに於いて、前記フック30を、前記封緘板27を切断除去後の前記収納凹部28を区画遮蔽する壁板36の前面に前記係合突起31を突設して構成した。
【発明の効果】
【００１２】
本発明の封緘式キャップは、封緘板27がキャップ本体A1及び蓋体部分から突出しないため、埃除去等を行っても封緘板27の破断部ｓを損傷する虞れは極めてすくなく、不用意に封緘板27が外れる等の不都合がない。また、封緘板27はその外面がキャップ本体A1外面と蓋体A2外面と少なくとも同一面状に形成できるため、外観上も良好であり、また、フック30の係合突起31を封緘板27裏面の係止突起に乗り越え係合させているため、充分な係合強度を得られて、簡単に衝撃で外れる等の不都合もなく、充分な封緘機能を発揮できるものである。
【００１３】
また、封緘板27の一側端に連結部33を介して一側端を連結して封緘板27前方へ折り返し状に且つ開蓋用の突片26直下に上面を位置させて延設した摘み板32を一体に設けたものにあっては、封緘板27の切断除去が極めて容易となる利点を兼ね備える。また、この場合も、キャップ本体A1表面に突出している摘み板32は開蓋用の突片26直下に位置しているため、埃除去を行っても同様に破断部ｓを損傷する虞れは極めて少ない。
【００１４】
また、開蓋用の突片26を蓋体A2外面上部に突設するとともに、前記摘み板32を、その上縁が封緘板27の上端より上方の開蓋用の突片26直下となる如く縦幅広に形成すれば、封緘板27の切り取りが更に容易となる。この場合も、キャップ本体A1表面に突出している摘み板32は開蓋用の突片26直下に位置しているため、埃除去を行っても同様に破断部ｓを損傷する虞れは極めて少ない。
【００１５】
また、前記摘み板32の先端部を易切断性の破断部ｓを介して封緘板27前面に連結すれば、摘み板32が外力で不用意に開いてしまう等の不都合を防止できる。
【００１６】
また、前記フック30を、前記封緘板27を切断除去後の前記収納凹部28を区画遮蔽する壁板36の前面に前記係合突起31を突設して構成すれば、封緘板27の除去後の使用時に封緘板27が小さい場合はもとより大きいものであってもそこから埃等の内部への浸入を防止できる利点を兼ね備える。
【発明を実施するための最良の形態】
【００１７】
以下、本発明の実施例の形態を図面を参照して説明する。
【００１８】
図１から図４は本発明キャップの一例を示し、キャップＡは、キャップ本体A1と、蓋体A2とを備えており、両者は合成樹脂により一体に形成されている。
【００１９】
キャップ本体A1は、容器Ｂの口部２外周に抜け出しを防止して周壁10を嵌着して装着している。図示例では、口部２外周に嵌着させた内周壁10a と、該内周壁と隙間ｄをあけて設けた外周壁10b とで周壁10を形成しており、内周壁10a と外周壁とは、相互を下部の連結片11で連結している。この連結片11は周方向間隔をあけて複数設けている。また、内周壁10a の内周下部に突周設した係合突条12を容器口部２外周に突周設した係止突条13の下面に乗り越え係合させてキャップ本体A1の上方への抜け出しを防止している。また、周壁10の上端より延設した頂壁14の裏面より口部２内周に密に嵌合させたシール筒部15を垂設してこの部分の液密性を図っており、更に、頂壁14上面には注出筒16を立設している。注出筒16内の頂壁14には閉塞板部17が薄肉破断線18により画成されており、その上面にはプルリング19を立設している。従って、プルリング19を引き上げて薄肉破断線18を切断することにより閉塞板部17を切断除去して注出口が開口する如く構成している。
【００２０】
蓋体A2は、周壁20の上端縁より頂壁21を延設した下端開口の有頂筒状をなしており、周壁20後部下端をヒンジ22を介してキャップ本体周壁10の後部上端に回動可能に連結している。図示例では蓋体周壁20後部下端をキャップ本体外周壁10b 後部上端にヒンジ22を介して回動可能に連結している。また、蓋体A2の外周下部はキャップ本体の外周上部と同形状に構成している。また、頂壁21の裏面から垂設したシール筒23を前記注出筒16内周に液密かつ着脱可能に嵌合させている。更に、周壁20の下部内周縁部に環状の係合凹部24を周設しており、この係合凹部24をキャップ本体A1の上面周縁部に周設した係合突部25に着脱自在に係合させて閉蓋状態を維持する如く構成している。また、この係合突部25の係合凹部24への係合は気密性をもたせており、そうすることによりキャップ内への水分等の浸入を防止している。また、周壁20外面には開蓋用の突片26を突設している。この突片26は周壁20の前部上端に横長に突設しているが、後述する封緘板の形態により周壁20の下端部に突設しても良い。
【００２１】
本発明では容器の未使用を表現するための封緘板27を設けている。この封緘板は、前記開蓋用の突片26下方のキャップ本体周壁10上端部に凹設した収納凹部28内の外側縁部に易切断性の破断部ｓを介して切り取り可能に設けている。また、封緘板27裏面には係止突起29を突設しており、この係止突起29の下面に蓋体A2より垂設したフック30の係合突起31が乗り越え係合する如く構成している。従って、この封緘板27を取り除かない限り開蓋ができないように構成している。
【００２２】
図示例ではキャップ本体周壁10の前部上端部に開蓋用の突片26と同幅の横長矩形状の収納凹部28を設けている。この収納凹部28は、両端部の凹み幅が狭く、中央部の凹み幅を大きく構成しており、具体的には、外周壁10b 上端部に中央部分が貫通する凹部を設け、該凹部と、その後部に位置する外周壁10b 及び内周壁10a 間の隙間ｄの一部とで形成しているが、キャップ本体周壁10が二重形態のものでない場合には、図11に示す如く、外方より内方へ凹む単純な凹部形態を採ることができる。そして、外周壁10b 部分の収納凹部28内に横長矩形状の封緘板27を立設している。封緘板27は下端縁を収納凹部28底面前縁と薄肉形態の破断部s1で連結し、また、封緘板27裏面両側位置に於いて前記貫通部分両側の収納凹部28奥面にそれぞれ薄肉形態の易切断性の破断部s2，s2を介して連結している。本例の場合には、封緘板27の少なくとも一端部の側方に指掛け空間ａを設けている。
【００２３】
上記の如く構成した封緘式キャップＡは、例えば、口部２上方より打設して装着する。開封する際には封緘板27の端部を掴んで各破断部ｓを切断して取り外すことにより開蓋が可能となる。
【００２４】
図５乃至図７は他の例を示し、本例では封緘板27に摘み板32を延設した例を示す。この摘み板32は、封緘板27の一側端に連結部33を介して一側端を連結して前記封緘板前方へ折り返し状に且つ前記開蓋用の突片26直下に上面を位置させて延設している。本例では開蓋用の突片26をキャップ本体周壁10の前部下端部に突設しており、封緘板27及び摘み板32の上面が開蓋用の突片26の直下に位置する如く構成している。また、収納凹部28は先端から後端まで同幅で形成しており、封緘板27の両側縁をそれぞれ破断部s2を介して収納凹部28の両側面に連結し、封緘板27下縁を同様に破断部s1を介して収納凹部28底面前縁に連結している。その他の構成は図１の例と同様である。この場合には、開封に際して、摘み板32を掴んで前方へ強制的に変形させた後、封緘板27を切断除去するため、切断除去がより容易となる。この態様の場合には、図８に示す如く、摘み板32の先端部を易切断性の破断部s3を介して封緘板27外面と連結することも可能である。
【００２５】
図９及び図10は他の例を示し、本例では図５の例に於いて、前記開蓋用の突片26を前記蓋体A2外面上部に突設するとともに、摘み板32を、その上縁が前記封緘板27の上端より上方の開蓋用の突片26直下となる如く縦幅広に形成している。
【００２６】
尚、上記各例では二重筒状の周壁の形態に付いて説明したが、図11に示す如く、単層の周壁10であっても良く、また、各例に於いてキャップ本体A1の形態は各例の如くプルリング19を設けたものに限らず、図12に示す如く、キャップ本体頂壁10に単純な注出口34を備えたものであっても良く、その他種々の形態を採用できる。図12中35は棒栓を示す。
【００２７】
また、上記各例に於いては、例えば図３に示す如く封緘板27の横幅より狭いフック30を採用しているが、図13に示す如く、フック30を、封緘板27を切断除去後の前記収納凹部28を区画遮蔽する壁板36の前面に前記係合突起31を突設した形態にすることも可能であり、この構成は各例に採用できる。
【図面の簡単な説明】
【００２８】
【図１】本発明キャップの斜視図である。（実施例１）
【図２】本発明キャップの縦断面図である。（実施例１）
【図３】本発明キャップの封緘板を取り外した状態の斜視図である。（実施例１）
【図４】本発明キャップの封緘板部分の要部斜視図である。（実施例１）
【図５】本発明キャップの斜視図である。（実施例２）
【図６】本発明キャップの縦断面図である。（実施例２）
【図７】本発明キャップの封緘板を取り外した状態の斜視図である。（実施例２）
【図８】本発明キャップの蓋体をやや開いた状態の斜視図である。（実施例３）
【図９】本発明キャップの斜視図である。（実施例４）
【図１０】本発明キャップの縦断面図である。（実施例４）
【図１１】本発明キャップの縦断面図である。（実施例５）
【図１２】本発明キャップの縦断面図である。（実施例６）
【図１３】本発明キャップの封緘板を取り外した状態の斜視図である。（実施例７）
【符号の説明】
【００２９】
２…口部，10…周壁，26…開蓋用の突片，27…封緘板，28…収納凹部，
29…係止突起，30…フック，31…係合突起，32…摘み板，33…連結部，
A1…キャップ本体，A2…蓋体，Ｂ…容器，ｓ…破断部，                          
【図１】
2006151487.tif 000003
【図２】
2006151487.tif 000004
【図３】
2006151487.tif 000005
【図４】
2006151487.tif 000006
【図５】
2006151487.tif 000007
【図６】
2006151487.tif 000008
【図７】
2006151487.tif 000009
【図８】
2006151487.tif 000010
【図９】
2006151487.tif 000011
【図１０】
2006151487.tif 000012
【図１１】
2006151487.tif 000013
【図１２】
2006151487.tif 000014
【図１３】
2006151487.tif 000015